(57)【特許請求の範囲】
【請求項１】
横長は可変可能に構成され、縦長は流水路の流水を遮断するに十分な長さを有し、更に、流水に浮くように構成され、更に、所定の箇所に重りを連設する重り連設部を有する流水遮断体と、流水路の少なくとも一側に設けられ、前記流水遮断体が枢着連結される支持体とで構成されていることを特徴とする流水路の流水を遮断する流水遮断装置。
【請求項２】
請求項１記載の流水路の流水を遮断する流水遮断装置において、前記流水遮断体を複数の板材を横方向に並設した構成とすることで横長を可変可能にしたことを特徴とする流水路の流水を遮断する流水遮断装置。
【発明の詳細な説明】
【０００１】
【発明の属する技術分野】
本発明は、流水路の流水を遮断する流水遮断装置に関するものである。
【０００２】
【従来の技術及び発明が解決しようとする課題】
水稲栽培において水管理は非常に重要であり、実際、水田に水を引くには、水田の脇に付随して設けられる流水路（Ｕ字溝）から水田の畦に形成した凹状の水口を介して取水している。
【０００３】
ところで、この水田の水口よりも流水路の水位が十分に高いときは取水は良好に行われるが、例えば水量が少なくて水位が低い場合や、傾斜地で流水が早い箇所では取水が困難になる場合がある。
【０００４】
そこで、従来、この流水路に石や土嚢やシートなどを用いて止水して水位を上げるなどの調整を行っている。
【０００５】
ところが、流水路は、多くの人が利用しているという理由や、気象の変化という理由などにより水量の増減変化が非常に大きく、よって、その都度、止水したり、反対に止水を解除したりしなければならず、上記石や土嚢やシートなどにより止水した場合には止水の解除が大変であり、しかも、止水で使用した石や土砂が下流へ流され、これらが堆積（ゴミ化）するなどの問題点がある。
【０００６】
本出願人は、上述の問題点に鑑み、簡易に水量変化に対応できる極めて商品価値の高い画期的な流水路の流水を遮断する流水遮断装置を開発した。
【０００７】
【課題を解決するための手段】
添付図面を参照して本発明の要旨を説明する。
【０００８】
横長は可変可能に構成され、縦長は流水路１の流水を遮断するに十分な長さを有し、更に、流水に浮くように構成され、更に、所定の箇所に重り２を連設する重り連設部３を有する流水遮断体４と、流水路１の少なくとも一側に設けられ、前記流水遮断体４が枢着連結される支持体５とで構成されていることを特徴とする流水路の流水を遮断する流水遮断装置に係るものである。
【０００９】
また、請求項１記載の流水路の流水を遮断する流水遮断装置において、前記流水遮断体４を複数の板材を横方向に並設した構成とすることで横長を可変可能にしたことを特徴とする流水路の流水を遮断する流水遮断装置に係るものである。
【００１０】
【発明の作用及び効果】
流水路１の所望の位置に流水遮断体４を配設する。
【００１１】
流水遮断体４は、流水に浮くように構成され、流水路１の少なくとも一側に設けられる支持体５と枢着連結されている為、流水路１を止水する必要のない場合は、重り連設部３に重り２を連設しないことで、流水は遮断されず、流水は許容され、また、仮に急激な流水の変化が生じても流水を阻害せず、よって、流水路１を決壊させてしまうようなことがない。
【００１２】
また、流水遮断体４は、流水路１の少なくとも一側に設けられた支持体５と枢着連結され、流水路１の幅と等しい横長及び流水路１の流水を遮断するに十分な縦長を有する為、流水遮断体４の重り連設部３に重り２を連設すると、擺動して流水路１は止水される。
【００１３】
以上、本発明は、非常に便利で極めて商品価値の高いものになる。
【００１４】
【発明の実施の形態】
図１〜５は本発明の第一実施例、図６は第二実施例を図示したものであり、以下に説明する。
【００１５】
符号１は水田の脇に設けられるコンクリート製のＵ字溝から成る流水路である。
【００１６】
第一実施例について説明する。
【００１７】
第一実施例は、板状の流水遮断体４と、該流水遮断体４を支持する支持体５とから成る流水路１の流水を遮断するものである。
【００１８】
以下、本実施例に係る構成各部について詳細な説明をする。
【００１９】
流水遮断体４は、図１に図示したように適宜な合成樹脂製の部材を板状に形成したものであり、この流水遮断体４は、既存の流水路１の幅と等しい横長を有し、且つ、流水路１の流水を遮断するに十分な縦長を有し、更に、流水路１の凹溝形状に合致する形状に構成されている。この流水路１の流水を遮断するに十分な縦長とは、流水遮断体４を流水路１内に所定の角度で傾斜させて配設した際、流水路１の底面１ａに当接する程度の縦長である。尚、寸法は流水路１の大きさ（寸法規格）に合わせて適宜設計するものである。
【００２０】
また、流水遮断体４は、流水に浮く（流水路１の底面１ａから離れる）ように構成されている。この流水遮断体４が浮く構成としては、流水遮断体４自体を水に浮く素材にしたり、所定の流量、所定の流速以上で浮くように設定したり、或いは、流水遮断体４に浮きを付設することでも達成できる。
【００２１】
また、流水遮断体４は、その上端部に軸部６が設けられており、この軸部６は、その左右両端部が後述する支持体５と枢着されるように構成されている。
【００２２】
また、流水遮断体４は、その表面下方位置に断面Ｌ字状の板材が設けられており、これは重り２を載置する重り連設部３として構成されている。止水時にはこの重り連設部３に重り２を載せることになる。
【００２３】
また、重り連設部３は、その立ち上がり部３ａに貫通孔３ａ’が形成されており、この貫通孔３ａ’は、例えば流水遮断体４を暫く使用しない場合など、紐などを通して流水遮断体４を吊り上げるためのものである。
【００２４】
尚、流水遮断体４は合成樹脂製に限らず金属製や木製など本実施底の特性を発揮する構成であれば適宜採用するものである。
【００２５】
支持体５は、図１に図示したように適宜な金属製の杭部材で構成され、この支持体５の上端部にはリング部５ａが形成されており、このリング部５ａに流水遮断体４の軸部６を嵌挿して流水遮断体４と支持体５とを連結する。
【００２６】
具体的には、図２に図示したように流水路１の左右の地面に支持体５を刺し、この支持体５夫々のリング部５ａに流水遮断体４の軸部６を嵌挿させて連結する。
【００２７】
また、図５に図示したように例えば片側がアスファルトなどの支持体５が刺せない箇所であった場合、流水路１の右側に刺していた支持体５を流水路１の左側に移し、横棒体７ｂの一端に軸部６の右端部を嵌挿するリング部７ａを有し、また、他端に流水路１の左側に刺した支持体５に嵌挿されるリング部７ａを有し、このリング部７ａに前記で移した支持体５のリング部５ａに先端を嵌挿する縦棒体７ｃを連設したＬ字状の補助支持体７を利用して片側で流水遮断体４を支持するように構成することもできる。
【００２８】
尚、支持体５は金属製に限らず樹脂製や木製など本実施底の特性を発揮する構成であれば適宜採用するものである。
【００２９】
本実施例は上述のように構成したから、通常、流水遮断体４は支持体５との枢着部を支点に擺動し、流水遮断体４の下端は流水路１の底面１ａから離れて流水Ｗに浮いている（図３参照）。
【００３０】
また、止水に際しては、重り連設部３に重り２を載せて流水遮断体４の下端を流水路１の底面１ａに当接させることで、本装置よりも上流側の水位を増加させることができる（図４参照）。
【００３１】
よって、本実施例によれば、流水路１への設置作業及び除去作業が極めて容易に行え、しかも、水位を上げたいときは重り連設部３に重り２を載せるだけで良く、それ以外のときは、重り２を除去しておけば良いだけであるから、流水路１の水位調整が簡易且つ迅速に行えることになり、そして更に、簡易構造故にコスト安にして量産性に秀れることになる。
【００３２】
次に、第二実施例について説明する。
【００３３】
第二実施例は、流水遮断体４と、該流水遮断体４を支持する支持体５とから成る流水路１の流水を遮断するものである。
【００３４】
以下、本実施例に係る構成各部について詳細な説明をする。
【００３５】
流水遮断体４は、図６に図示したように左右一対の板材（第一遮断板４Ａ及び第二遮断板４Ｂ）で構成されている。
【００３６】
この第一遮断板４Ａ及び第二遮断板４Ｂは、適宜な合成樹脂製の部材を形成したものであり、第一実施例に係る流水遮断体４と同様、その縦長は流水路１の流水を遮断するに十分な長さに設定されている。
【００３７】
第一遮断板４Ａの上端部には丸棒状部６ａが設けられ、また、第二遮断板４Ｂの上端部には前記丸棒状部６ａに被嵌連結される円筒形状部６ｂが設けており、第一遮断板４Ａと第二遮断板４Ｂとは重合せしめられる構成である。よって、第二遮断板４Ｂは第一遮断板４Ａに対して幅方向（図６中左右方向）にスライド移動自在となる。符号８は第一遮断板４Ａに対する第二遮断板４Ｂのスライド移動を阻止する固定ネジである。
【００３８】
従って、流水遮断体４は、その幅を可変可能に構成されており、よって、種々異なる流水路１の幅と等しい横長に設定することができ、また、支持体５から外れない範囲で若干その幅を流水路１の幅より狭くすることで流水を許容する状態にすることができる。
【００３９】
また、流水遮断体４は、第一遮断板４Ａの上端部に設けた丸棒状部６ａ及び第二遮断板４Ｂの上端部に設けた円筒形状部６ｂ夫々を介して支持体５に擺動自在に枢着される。
【００４０】
また、本実施例に係る流水遮断体４にも、図示省略の重り連設部３を設けるものである。
【００４１】
その余は第一実施例と同様である。
【図面の簡単な説明】
【図１】  第一実施例を示す正面図である。
【図２】  第一実施例の使用状態説明図である。
【図３】  第一実施例の概略動作説明図である。
【図４】  第一実施例の概略動作説明図である。
【図５】  別実施例の使用状態説明図である。
【図６】  第二実施例を示す分解斜視図である。
【符号の説明】
１  流水路
２  重り
３  重り連設部
４  流水遮断体
５  支持体
【図１】
0003682409.tif 000002
【図２】
0003682409.tif 000003
【図３】
0003682409.tif 000004
【図４】
0003682409.tif 000005
【図５】
0003682409.tif 000006
【図６】
0003682409.tif 000007